(57)【要約】【課題】衝突するラッチボルトによる衝撃を緩和できるストライク板の衝撃吸収構造を得、閉扉時の静粛性を向上させる。【解決手段】木口からラッチボルトが後退可能に突出する扉を開閉自在に備えた開口枠３に設けられるストライク板の衝撃吸収構造において、閉められた扉の木口に対面する開口枠３の内面１３に凹設されラッチボルトを開口部１７から受け入れる箱状のトロヨケ１９と、上部開口１７を表出させるとともに閉められる扉から突出するラッチボルトに非接触となる切欠部２１を有しトロヨケ１９を覆って開口枠３の内面１３に取り付けられる略コ字形状のストライク板１５と、ストライク板１５の切欠部２１に配置されるとともに基端部がトロヨケ１９の側壁に固定され先端ガイド部２７にラッチボルトが衝接することでラッチボルトの押圧方向に弾性変形可能な緩衝板２９とを設けた。【選択図】      図１
2010070948.tif 000002
【特許請求の範囲】
【請求項１】
木口からラッチボルトが後退可能に突出する扉を開閉自在に備えた開口枠に設けられるストライク板の衝撃吸収構造であって、
閉扉状態で前記扉の木口に対面する前記開口枠の内面に凹設され前記ラッチボルトを開口部から受け入れる箱状のトロヨケと、
閉扉時の前記扉木口から突出する前記ラッチボルトに非接触となる切欠部を有し、前記開口部を表出させて前記トロヨケを覆い前記開口枠の内面に取り付けられる略コ字形状のストライク板と、
基端部が前記トロヨケの側壁に固定されて前記ストライク板の前記切欠部に配置され、閉扉時の前記ラッチボルトの前記トロヨケ内への案内を行うとともに、先端ガイド部に閉扉時における前記ラッチボルトが衝接することで該ラッチボルトの押圧方向に弾性変形可能な緩衝板と、
を具備したことを特徴とするストライク板の衝撃吸収構造。
【請求項２】
請求項１記載のストライク板の衝撃吸収構造であって、
前記緩衝板の基端部が、前記トロヨケの側壁に溶接固定されたことを特徴とするストライク板の衝撃吸収構造。
【請求項３】
請求項１又は２記載のストライク板の衝撃吸収構造であって、
前記緩衝板の先端ガイド部と前記開口枠の内面との間に弾性部材が挟入されたことを特徴とするストライク板の衝撃吸収構造。
【請求項４】
請求項１，２，３のいずれか１つに記載のストライク板の衝撃吸収構造であって、
前記緩衝板の先端ガイド部に設けた耳片が前記ストライク板の裏面に係止して前記緩衝板の前記ストライク板からの浮上が規制されたことを特徴とするストライク板の衝撃吸収構造。
【発明の詳細な説明】
【技術分野】
【０００１】
本発明は、ラッチボルトが突出する扉を備えた開口枠に設けられるストライク板の衝撃吸収構造に関する。
【背景技術】
【０００２】
錠装置に備えられる錠ボルトには、施錠を行うためのデッドボルトと、扉が風などで開かないように扉枠に仮締めするラッチボルトとがある。ラッチボルトは、錠箱内に内蔵した進退機構によって、扉の木口から進退される。進退機構は、扉表裏面に設けられたノブあるいはレバーハンドル等の操作部材から解錠操作力が入力されると、ラッチボルトを錠箱内へ後退させる。これにより、扉枠側に設けられたストライクに対するラッチボルトの係止が解除され、扉が開放可能となる。
【０００３】
ラッチボルトは、進退機構により、ノブやレバーハンドル等の操作部材にて後退されるが、ラッチボルト自体が押し込まれて後退された際には操作部材は回転しない。つまり、操作側からの一方向の入力伝達機構を構成している。ラッチボルトは、単独の進出付勢ばねによって進出方向へ付勢される。したがって、操作部材によりラッチボルトが後退操作されずに閉扉されると、ラッチボルトは先端傾斜面がストライクの衝接縁部に当たり、衝接縁部から反力を受ける。反力を受けたラッチボルトは、進出付勢ばねの付勢力に抗して錠箱内に押し込められる。そして、閉扉が完了すると、ストライク穴と一致したラッチボルトは再び進出付勢ばねの付勢力により進出し、扉を仮締め状態とした。
【発明の開示】
【発明が解決しようとする課題】
【０００４】
しかしながら、ラッチボルトは、操作部材により後退操作されずに閉扉されると、進出付勢ばねの付勢により突出されているため、先端傾斜面がストライクの衝接縁部に当たった際、少なからず衝撃が発生する。近年では、ラッチボルトの衝接先端や摺動部等に樹脂材料が多用され、従来の金属製単体のラッチボルトに比べて衝撃音は格段に低減されたが、静寂な夜間等では未だ気になるノイズとなり得た。上記のように、ラッチボルト自体や、進退機構を内蔵する錠箱構造における消音性能が向上したことにより、ラッチボルトが衝突するストライク板側での衝撃音が顕在化してきている。
【０００５】
本発明は上記状況に鑑みてなされたもので、衝突するラッチボルトによる衝撃を緩和できるストライク板の衝撃吸収構造を提供し、もって、閉扉時の静粛性向上を図ることを目的とする。
【課題を解決するための手段】
【０００６】
次に、上記の課題を解決するための手段を、実施の形態に対応する図面を参照して説明する。
本発明の請求項１記載のストライク板の衝撃吸収構造は、木口５からラッチボルト７が後退可能に突出する扉９を開閉自在に備えた開口枠３に設けられるストライク板１５の衝撃吸収構造であって、
閉扉状態で前記扉９の木口５に対面する前記開口枠３の内面１３に凹設され前記ラッチボルト７を開口部１７から受け入れる箱状のトロヨケ１９と、
閉扉時の前記扉木口５から突出する前記ラッチボルト７に非接触となる切欠部２１を有し、前記開口部１７を表出させて前記トロヨケ１９を覆い前記開口枠３の内面１３に取り付けられる略コ字形状のストライク板１５と、
基端部２３が前記トロヨケ１９の側壁２５に固定されて前記ストライク板１５の前記切欠部２１に配置され、閉扉時の前記ラッチボルト７の前記トロヨケ１９内への案内を行うとともに、先端ガイド部２７に閉扉時における前記ラッチボルト７が衝接することで該ラッチボルト７の押圧方向ａに弾性変形可能な緩衝板２９と、
を具備したことを特徴とする。
【０００７】
このストライク板の衝撃吸収構造では、閉扉時に、扉木口５から突出したラッチボルト７が緩衝板２９に当たると、緩衝板２９がラッチボルト７の押圧方向ａに弾性変形し、衝突するラッチボルト７による衝撃が吸収・緩和される。弾性変形した緩衝板２９は、閉扉動作に伴うラッチボルト７の通過後、元の位置に復帰する。
【０００８】
請求項２記載のストライク板の衝撃吸収構造は、請求項１記載のストライク板の衝撃吸収構造であって、
前記緩衝板２９の基端部２３が、前記トロヨケ１９の側壁２５に溶接固定されたことを特徴とする。
【０００９】
このストライク板の衝撃吸収構造では、バネ性を有する金属板からなる緩衝板基端部２３がトロヨケ側壁２５に例えばスポット溶接等されることで、簡素且つ薄厚な構造で緩衝板２９が高強度に固定される。
【００１０】
請求項３記載のストライク板の衝撃吸収構造は、請求項１又は２記載のストライク板の衝撃吸収構造であって、
前記緩衝板２９の先端ガイド部２７と前記開口枠３の内面１３との間に弾性部材３１が挟入されたことを特徴とする。
【００１１】
このストライク板の衝撃吸収構造では、閉扉時に、扉木口５から突出したラッチボルト７が緩衝板２９に当たると、緩衝板２９がラッチボルト７の押圧方向ａに弾性変形し、弾性部材３１が圧縮変形される。これにより、緩衝板２９の弾性に加え、弾性部材３１の弾性もラッチボルト衝撃吸収に寄与される。また、挟入された弾性部材３１により緩衝板２９の後退スペースが緩衝板２９と開口枠３の間に確保される。
【００１２】
請求項４記載のストライク板の衝撃吸収構造は、請求項１，２，３のいずれか１つに記載のストライク板の衝撃吸収構造であって、
前記緩衝板２９の先端ガイド部２７に設けた耳片３３が前記ストライク板１５の裏面３５に係止して前記緩衝板２９の前記ストライク板１５からの浮上が規制されたことを特徴とする。
【００１３】
このストライク板の衝撃吸収構造では、緩衝板２９の板面と平行に延出した耳片３３がストライク板１５の裏面３５に当接し、係止状態となることで、緩衝板２９のラッチボルト押圧方向ａの後退が可能になりながら、ストライク板表面から浮き上がる方向の突出が規制される。
【発明の効果】
【００１４】
本発明に係る請求項１記載のストライク板の衝撃吸収構造によれば、ラッチボルトに非接触となる切欠部を有する略コ字形状のストライク板と、その切欠部に配置されるとともに基端部がトロヨケ側壁に固定され先端ガイド部がラッチボルトの押圧方向に弾性変形可能な緩衝板とを備えたので、閉扉時に、扉木口から突出したラッチボルトが緩衝板に当たると、緩衝板がラッチボルトの押圧方向に弾性変形し、衝突するラッチボルトによる衝撃を緩和することができる。この結果、操作部材を操作しない閉扉時の静粛性を高めることができる。
【００１５】
請求項２記載のストライク板の衝撃吸収構造によれば、緩衝板の基端部をトロヨケの側壁に溶接固定したので、簡素且つ薄厚な構造で緩衝板を高強度でトロヨケの側壁に固定でき、ねじ等を用いた固定に比べ、ストライク板構造全体をコンパクト化できる。
【００１６】
請求項３記載のストライク板の衝撃吸収構造によれば、緩衝板の先端ガイド部と開口枠の内面との間に弾性部材を挟入したので、緩衝板の弾性に加え、弾性部材の弾性も共働させてラッチボルト衝突の衝撃を吸収でき、緩衝板をへたり難くし、耐久性を向上させることができる。また、緩衝板の衝撃吸収のための後退スペースを確実に確保することができる。
【００１７】
請求項４記載のストライク板の衝撃吸収構造によれば、緩衝板の先端ガイド部に設けた耳片をストライク板の裏面に係止し、緩衝板のストライク板からの浮上を規制したので、緩衝板のラッチボルト押圧方向の後退を可能にしながら、緩衝板のストライク板表面から浮き上がる方向の突出を規制できる。これにより、緩衝板がストライク板から突出することによる衣服等の引っ掛かりを防止できる。
【発明を実施するための最良の形態】
【００１８】
以下、本発明に係るストライク板の衝撃吸収構造の好適な実施の形態を図面を参照して詳細に説明する。
図１は本発明に係る衝撃吸収構造を備えたストライクユニットの斜視図である。
１は本発明に係るストライク板の衝撃吸収構造を備えたストライクユニット、３は木口５（図８参照）からラッチボルト７が後退可能に突出する扉９を開閉自在に備えた開口枠、１１は戸当たりを示す。扉９は、閉止が完了することで、開閉先端の側部９ａ（図８参照）が、戸当たり１１に当たり衝止する。ストライクユニット１は、その扉９の木口５が対面する開口枠３の内面１３に設けられている。
【００１９】
図２は図１に示したストライクユニットを背面側から見た斜視図、図３は図１に示したストライクユニットの分解斜視図である。
１５はストライク板、１７は開口部、１９はトロヨケ、２１は切欠部、２３は基端部、２５はトロヨケ１９の側壁、２７は先端ガイド部、２９は緩衝板、３１（図６参照）は弾性部材、３３は耳片、３５はストライク板１５の裏面、ａ（図８参照）はラッチボルト７の押圧方向を示す。これら部材を主要部にストライクユニット１は構成される。また、本実施の形態によるストライクユニット１は、この他、ラッチボルト７の係止位置を調整可能にするため可動調整箱３９、付勢板バネ４１、調整円盤４３をトロヨケ１９に備えている。
【００２０】
トロヨケ１９は、閉められた扉９の木口５に対面する開口枠３の内面１３に、箱状の収容部４５が凹設される。収容部４５の上下には固定鍔部４７，４７が突出され、固定鍔部４７は図１に示す固定ネジ４９がネジ穴５１に挿通されて開口枠３に固定される。トロヨケ１９は、収容部４５の開口部１７からラッチボルト７を受け入れる。なお、本実施の形態では、後述するように、収容部４５に内設される可動調整箱３９内にラッチボルト７が進入することとなる。
【００２１】
ストライク板１５は、トロヨケ１９の開口部１７を表出させるとともに、閉鎖される扉９から突出するラッチボルト７に非接触となる切欠部２１を有し、すなわちラッチボルト７とは接触しない形状とされ、略コ字形状に形成されている。ストライク板１５は、固定穴５３に挿通される上記固定ネジ４９にて開口枠３の内面１３に固定され、トロヨケ１９の取付部周囲を覆い隠す。ストライク板１５の切欠側先端にはＲ曲げ部５５が形成され、Ｒ曲げ部５５は内面１３に直交する開口枠側面５７へ折り曲げられている。本来、Ｒ曲げ部５５は、ラッチボルト７の衝接ガイド片として機能するが、本実施の形態ではラッチボルト７とは接触せず、引っ掛かり防止、意匠性の向上、緩衝板先端ガイド部２７の保護用として機能する。
【００２２】
緩衝板２９は、ストライク板１５の切欠部２１に配置される。緩衝板２９は、バネ性を有する金属により形成され、略Ｔ字状に打ち抜かれた後、先端ガイド部２７と基端部２３とが略同方向に折り曲げられる。先端ガイド部２７の表面は、ラッチボルト７の衝接面及び案内面となる。基端部２３は、トロヨケ１９の側壁２５外面に固定される。緩衝板２９は、この基端部２３のみで固定支持されている。つまり、片持ち梁構造で支持される。
【００２３】
緩衝板２９の基端部２３は、側壁２５に溶接固定することができる。バネ性を有する金属板からなる緩衝板基端部２３がトロヨケ側壁２５に例えばスポット溶接等にて固定されることで、簡素且つ薄い構造で緩衝板が高強度に固定される。これにより、ねじ等を用いた固定に比べ、ストライク板構造全体をコンパクト化することができる。
【００２４】
緩衝板２９の本体板６１には基端部２３を挟んで端縁をＵ字状に曲げた一対のバネ部６３，６３が形成されている。バネ部６３は、可動調整箱３９の前縁の一対の支持板部６５，６５上にて支持される（図７参照）。支持板部６５にバネ部６３を載置した緩衝板２９は、欠切部６７に表出する基端元部６９が、可動調整箱３９の押さえ片７１によって押さえられる。したがって、緩衝板２９は、先端ガイド部２７にラッチボルト７が衝接した際、基端部２３及びバネ部６３のバネ性により、ラッチボルト７の押圧方向ａに弾性変形可能となる。
【００２５】
緩衝板２９の先端ガイド部２７に設けられる耳片３３は、ストライク板１５の裏面３５に係止して、緩衝板２９のストライク板１５からの浮上を規制する。緩衝板２９の本体板６１と平行に延出した耳片３３がストライク板１５の裏面３５に当接し係止することで、緩衝板２９のラッチボルト押圧方向ａの後退が可能になりながら、ストライク板表面からの緩衝板２９の浮き上がる方向の突出が規制される。これにより、緩衝板２９がストライク板１５の表面から大きく突出することによる衣服等の引っ掛かりを防止できる。
【００２６】
図５は図１のＡ−Ａ断面で切り欠いた斜視図、図６は弾性部材を備えた変形例の切欠斜視図、図７は図１のＢ−Ｂ断面で切り欠いた斜視図である。
可動調整箱３９は、開口枠３の内面１３に平行、且つ水平方向（図５の矢印ｂ方向）に移動自在となって、トロヨケ１９の収容部４５に収容される。可動調整箱３９は、収容部４５の後部内壁との間に設けられた付勢板バネ４１によって、前側となる押さえ片７１側へ付勢配置されている。
【００２７】
可動調整箱３９の底部７３には丸穴７５が穿設され、丸穴７５は調整円盤４３の頭部７７を挿入している。頭部７７にはドライバ工具先端の係合部７９が形成される。頭部７７の下面側には偏心円盤部８１が連接され、偏心円盤部８１は外周をトロヨケ側壁２５の背面に当接している。したがって、係合部７９がドライバ工具にて回転されれば、調整円盤４３の外周面が回転中心から異なる半径で摺接して可動調整箱３９が図５の矢印ｂ方向に位置調整可能となっている。
【００２８】
図６に示すように、緩衝板２９の先端ガイド部２７と、開口枠３の内面１３との間には弾性部材３１が挟入されている。閉扉時に、扉木口５から突出したラッチボルト７が緩衝板２９に当たると、緩衝板２９がラッチボルト７の押圧方向ａに弾性変形し、弾性部材３１が圧縮変形される。これにより、緩衝板２９の弾性に加え、弾性部材３１の弾性もラッチボルト７の衝撃吸収作用に寄与することとなる。また、挟入された弾性部材３１により緩衝板２９の後退スペースが緩衝板２９と開口枠３の間に確保されるようになっている。これにより、緩衝板２９をへたり難くし、耐久性を向上させることができる。
【００２９】
なお、図４は、上述した可動調整箱３９を備えない構成例で、ストライク板１５、トロヨケ１９、緩衝板２９の分解斜視図である。この例では、トロヨケ１９に対して移動自在な可動調整箱３９に設けられた押さえ片７１が配置する欠切部６７を備えず、簡素な構成とされ、図４（ａ）（ｂ）に示すように、緩衝板２９の本体板６１が略平滑に形成され、ストライク板１５表面と略連続した面を構成し、この平滑な面が、ラッチボルト７の案内面となる。
【００３０】
次に、上記の構成を有する衝撃吸収構造の作用を説明する。
図８はラッチボルト衝突時の横断面図、図９は閉扉直前の横断面図、図１０は閉扉後の横断面図である。
図８に示すように、扉９が閉動され、木口５から突出したラッチボルト７が緩衝板２９に当たると、緩衝板２９はラッチボルト７から矢印ａ方向の押圧力を受け、基端部２３を中心に同方向へ弾性変位する。
図９に示すように、さらに扉９が閉動されると、ラッチボルト７が緩衝板２９の本体板６１上に乗り上げ、摺動しながら可動調整箱３９の収容空間８３へ進む。また同時にラッチボルト７は、先端傾斜面と緩衝板２９とによって進出バネの付勢力に抗して錠箱内に後退する。
図１０に示すように、扉９が完全に閉止されると、ラッチボルト７が収容空間８３と一致し、ラッチボルト７は進出バネの付勢力にて収容空間８３内に突出される。
収容空間８３内に突出したラッチボルト７は、係止面８５が収容空間８３の内壁面８７に係止し、扉９が仮締めされる。
【００３１】
このように、上記の構成を有するストライク板の衝撃吸収構造では、閉扉時に、扉木口５から突出したラッチボルト７が緩衝板２９に当たると、緩衝板２９がラッチボルト７の押圧方向ａに弾性変形し、衝突するラッチボルト７による衝撃が緩和される。弾性変形した緩衝板２９は、閉扉動作に伴うラッチボルト７の通過後、元の位置に復帰する。
【００３２】
したがって、上記構成のストライク板の衝撃吸収構造によれば、ラッチボルト７に非接触となる切欠部２１を有する略コ字形状のストライク板１５と、その切欠部２１に配置されるとともに基端部２３がトロヨケ側壁２５に固定され先端ガイド部２７がラッチボルト７の押圧方向ａに弾性変形可能な緩衝板２９とを備えたので、閉扉時に、扉木口５から突出したラッチボルト７が緩衝板２９に当たると、緩衝板２９がラッチボルト７の押圧方向ａに弾性変形し、衝突するラッチボルト７による衝撃を緩和することができる。この結果、操作部材を操作しない閉扉時の静粛性を高めることができる。
【図面の簡単な説明】
【００３３】
【図１】本発明に係る衝撃吸収構造を備えたストライクユニットの斜視図である。
【図２】図１に示したストライクユニットを背面側から見た斜視図である。
【図３】図１に示したストライクユニットの分解斜視図である。
【図４】ストライクユニットの他の構成のストライク板、トロヨケ、緩衝板の分解斜視図を（ａ）に、緩衝板の斜視図を（ｂ）に示した図である。
【図５】図１のＡ−Ａ断面で切り欠いた斜視図である。
【図６】弾性部材を備えた変形例の切欠斜視図である。
【図７】図１のＢ−Ｂ断面で切り欠いた斜視図である。
【図８】ラッチボルト衝突時の横断面図である。
【図９】閉扉直前の横断面図である。
【図１０】閉扉後の横断面図である。
【符号の説明】
【００３４】
３…開口枠
５…木口
７…ラッチボルト
９…扉
１３…開口枠の内面
１５…ストライク板
１７…開口部
１９…トロヨケ
２１…切欠部
２３…基端部
２５…トロヨケの側壁
２７…先端ガイド部
２９…緩衝板
３１…弾性部材
３３…耳片
３５…ストライク板の裏面
ａ…ラッチボルトの押圧方向
【図１】
2010070948.tif 000003
【図２】
2010070948.tif 000004
【図３】
2010070948.tif 000005
【図４】
2010070948.tif 000006
【図５】
2010070948.tif 000007
【図６】
2010070948.tif 000008
【図７】
2010070948.tif 000009
【図８】
2010070948.tif 000010
【図９】
2010070948.tif 000011
【図１０】
2010070948.tif 000012